(57)【要約】【課題】汚れが付着することが確実に防止される便座装置を提供する。【解決手段】便座ボックス２の前部に照明器１５が設けられ、この照明器１５を覆うシャッタ１８が設けられている。洗浄ノズル１１を前進させると、シャッタ１８が押されて開き、照明器１５からの光によって便鉢１ａ内が照明される。着座が検知されるとき、及び便座３が開となっているときには照明器１５を消灯すると共に、洗浄ノズル１１を後退させ、シャッタ１８を閉める。【選択図】図４
2013060766.tif 000002
【特許請求の範囲】
【請求項１】
便器の後部上面に設置されるケースと、
該ケースに開閉回動可能に支持された便座及び便蓋と、
該ケースに設置された、便鉢内を照明する照明器と、
該照明器を覆った閉状態と、該照明器を便鉢に向って露呈させる開状態とをとりうるシャッタと
を備えた便座装置において、
該便座に着座中であるとき及び便座が起立状態であるときには該シャッタを閉とするシャッタ制御手段を備えたことを特徴とする便座装置。
【請求項２】
請求項１において、前記シャッタは前記ケースに回動自在に支持された板状体よりなり、ケースに設けられた人体洗浄用ノズルを前進させると、該シャッタが該ノズルに押されて開状態となることを特徴とする便座装置。
【請求項３】
便器の後部上面に設置されるケースと、
該ケースに開閉回動可能に支持された便座及び便蓋と、
該ケースに設置された、便鉢内を照明する照明器と、
該照明器を覆った閉状態と、該照明器を便鉢に向って露呈させる開状態とをとりうるシャッタと
を備えた便座装置において、
該シャッタの少なくとも一部が透光部となっており、前記照明器の光が該透光部を透過して便鉢内を照明可能となっていることを特徴とする便座装置。
【請求項４】
便器の後部上面に設置されるケースと、
該ケースに開閉回動可能に支持された便座及び便蓋と、
該ケースに設置された、便鉢内を照明する照明器と
を備えた便座装置において、
前記ケースの一部が透光部となっており、前記照明器は、該透光部を透して便鉢内を照明するように該ケース内に設置されていることを特徴とする便座装置。
【発明の詳細な説明】
【技術分野】
【０００１】
本発明は、トイレの便器に設置される便座装置に係り、特に便鉢内の照明手段を備えた便座装置に関する。さらに詳しくは、本発明は、この照明手段のシャッタを備えた便座装置に関する。
【背景技術】
【０００２】
便鉢内を照明する照明手段を備えた便座装置において、照明を使用しないときにシャッタを閉めるよう構成した便座装置が特許文献１に記載されている。
【０００３】
この特許文献１では、夜間など暗いときにトイレルームに入室すると、この便鉢内用の照明が点灯する（００３５段落）。また、便座を起立させたときには、トイレルーム内が明るいときであっても便鉢内用の照明を点灯させ、男子小用の便宜を図る（００３６段落）。使用者が着座した場合にも便鉢内用の照明を点灯させる（００３８段落）。
【先行技術文献】
【特許文献】
【０００４】
【特許文献１】特開平９−１３５７９１
【発明の概要】
【発明が解決しようとする課題】
【０００５】
上記特許文献１の便座装置では、便器が男子小用使用されるときや着座使用されるときにシャッタを開けて便鉢内用の照明を点灯させるため、小水や便などの汚れが照明に付着し易い。
【０００６】
本発明は照明に対し汚れが付着することが確実に防止される便座装置を提供することを目的とする。
【課題を解決するための手段】
【０００７】
第１発明（請求項１）の便座装置は、便器の後部上面に設置されるケースと、該ケースに開閉回動可能に支持された便座及び便蓋と、該ケースに設置された、便鉢内を照明する照明器と、該照明器を覆った閉状態と、該照明器を便鉢に向って露呈させる開状態とをとりうるシャッタとを備えた便座装置において、該便座に着座中であるとき及び便座が起立状態であるときには該シャッタを閉とするシャッタ制御手段を備えたことを特徴とするものである。
【０００８】
前記シャッタは前記ケースに回動自在に支持された板状体よりなり、ケースに設けられた人体洗浄用ノズルを前進させると、該シャッタが該ノズルに押されて開状態となるものであってもよい。
【０００９】
第２発明（請求項３）の便座装置は、便器の後部上面に設置されるケースと、該ケースに開閉回動可能に支持された便座及び便蓋と、該ケースに設置された、便鉢内を照明する照明器と、該照明器を覆った閉状態と、該照明器を便鉢に向って露呈させる開状態とをとりうるシャッタとを備えた便座装置において、該シャッタの少なくとも一部が透光部となっており、前記照明器の光が該透光部を透過して便鉢内を照明可能となっていることを特徴とするものである。
【００１０】
第３発明（請求項４）の便座装置は、便器の後部上面に設置されるケースと、該ケースに開閉回動可能に支持された便座及び便蓋と、該ケースに設置された、便鉢内を照明する照明器とを備えた便座装置において、前記ケースの一部が透光部となっており、前記照明器は、該透光部を透して便鉢内を照明するように該ケース内に設置されていることを特徴とするものである。
【発明の効果】
【００１１】
第１発明の便座装置にあっては、着座中及び便座開状態にあるときには、便鉢内を照明するための照明器をシャッタで覆う。このため、着座使用時における汚物や、便座を起立させた男子小使用（立使用）時の小水が照明器に付着することが防止される。
【００１２】
なお、このシャッタを洗浄ノズルで押して開けるよう構成した場合には、シャッタ開放専用の駆動装置が不要となり、低コストとなる。
【００１３】
第２発明では、照明器をシャッタで覆った状態でもシャッタの透光部を透して照明器からの光で便鉢を照明することができる。そのため、照明器に汚れが付着することが防止される。なお、シャッタを開けると、シャッタの裏側を清掃することができる。
【００１４】
第３発明では、照明器をケース内に配置し、ケースの透光部を透して便鉢を照明するようにしているため、照明器に汚れが付着することが防止される。
【図面の簡単な説明】
【００１５】
【図１】実施の形態に係る便座装置のシャッタ開放時における下方からの斜視図である。
【図２】実施の形態に係る便座装置のシャッタ閉時における下方からの斜視図である。
【図３】図１のIII−III線断面図である。
【図４】図２のIV−IV線断面図である。
【図５】実施の形態に係る便座装置を備えた洋風便器の斜視図である。
【図６】実施の形態に係る便座装置の回路ブロック図である。
【図７】実施の形態に係る便座装置の作動を示すタイミングチャートである。
【図８】実施の形態に係る便座装置の作動を示すタイミングチャートである。
【図９】実施の形態に係る便座装置の作動を示すタイミングチャートである。
【図１０】別の実施の形態に係る便座装置の要部断面図である。
【発明を実施するための形態】
【００１６】
以下、図１〜図９を参照して第１の実施の形態について説明する。
【００１７】
図５は第１の実施の形態に係る便座装置を備えた洋風便器の斜視図である。
【００１８】
洋風便器１の後部上面にケースとしての便座ボックス２が設置されている。この便座ボックス２に便座３及び便蓋４が起倒方向回動可能に取り付けられている。便座ボックス２内には、図６の通り、この便座３の起倒駆動用の便座駆動装置５と便蓋４の起倒駆動用の便蓋駆動装置６とが設けられている。これらの駆動装置５，６はモータ及びギヤよりなる。
【００１９】
便座ボックス２の上面にはトイレルームへの入室を検知する第１の光電センサ７と焦電センサ８とが設けられている。この焦電センサ８は、トイレルーム内の便器前方領域のほぼ全体のエリアの人体を検知可能である。第１の光電センサ７は、トイレルーム出入口よりも若干便器１に近いエリアを検知領域とするものである。
【００２０】
便座ボックス２の前面には第２の光電センサ９が設けられている。この光電センサ９は、前記光電センサ７と同じエリアの人体を検知するためのものである。
【００２１】
また、便座ボックス２の前面には光電センサよりなる着座センサ１０が設けられている。ただし、着座センサとしては、静電容量変化型のものなど各種のものを用いることができる。
【００２２】
なお、上記の光電センサ７，９，１０は、赤外線の投光器と、反射赤外線を受光する受光器とからなる。
【００２３】
図１の通り、便座ボックス２には、便座３に着座した人体の臀部に向って温水を噴出する温水洗浄ノズル１１及びビデノズル１２、該臀部に向って温風を吹き出す温風乾燥ファン（図示略）、便鉢１ａ内から臭気含有空気を吸引し、活性炭等によって脱臭処理後、排気する脱臭装置（図示略）等が設けられている。
【００２４】
上記のノズル１１，１２はモータを動力源とした前後進装置によって前進及び後退するよう構成されている。なお、ノズル１１，１２にラックが設けられ、モータの駆動軸に固着されたギヤが該ラックに噛合している。
【００２５】
便座ボックス２の前部下面であって、左右方向の中央付近２ａには、このノズル１１，１２を通過させるための開口１３，１４が設けられている。また、この開口１３，１４に隣接して温風吹出口１６，便鉢内から空気を吸引するための脱臭口１７が設けられると共に、便鉢１ａ内を照明するための照明器１５が設けられている。
【００２６】
これらの開口１３，１４，温風吹出口１６，脱臭口１７及び照明器を１５を覆うようにシャッタ１８が設けられている。この実施の形態では、シャッタ１８はヒンジアーム１９によって回動可能に便座ボックス２に支持されている。
【００２７】
図３，４の通り、このヒンジアーム１９は、軸心方向を便器左右方向とした軸部１９ｂと、該軸部１９ｂから離反する方向に延在した直棒部１９ａと、該直棒部１９ａの先端から延出した円弧状部１９ｃとを有している。円弧状部１９ｃは軸部１９ｂに対して等半径となるように周方向に延在している。この円弧状部１９ｃは、便座ボックス２に設けられた小孔を通って便座ボックス２外へ延出している。この円弧状部１９ｃの先端にシャッタ１８が連結されている。この実施の形態では、軸部１９ｂにつる巻きコイルばね（図示略）が巻回されており、シャッタ１８は図２及び図４に示すシャッタ閉状態となるように該ばねによって付勢されている。
【００２８】
シャッタ１８を開けるにはノズル１１又はノズル１２（この実施の形態ではノズル１１）を前進させる。ノズル１１が前進すると、シャッタ１８がノズル１１に押されて図１，３のように開く。シャッタ１８は前記ヒンジアーム１９によって支持されているので、シャッタ１８は前方に移動しながら開き出す。そのため、シャッタ１８が開き出すときにシャッタ１８が便座ボックス２と干渉しない。
【００２９】
ノズル１１を後退させると、シャッタ１８は前記つる巻きコイルばねの付勢力によって図２，４のように便座ボックス２の前記中央付近２ａの下面に重なった閉状態となる。
【００３０】
なお、照明器１５が点灯するときや、脱臭ファンが作動するとき及び温風ファンが作動するときにはいずれもノズル１１が前進してシャッタ１８を開け、照明器１５の消灯、脱臭ファンの停止及び温風ファンの停止が行われるときにはノズル１１が後退し、シャッタ１８が閉まる。
【００３１】
便座３には便座ヒータが設けられている。この便座ヒータは、トイレの非使用時には通電されず、第１の光電センサ７又は焦電センサ８が人体を検知すると通電開始され、急速に昇温するよう構成された急速暖房タイプのものである。
【００３２】
この洋風便器１の側方のトイレルーム壁面にリモコン２０が設置されている。このリモコン２０には、肛門洗浄用操作スイッチ（シャワースイッチ）、ビデ洗浄用操作スイッチ、温風を吹き出させるドライスイッチ、肛門洗浄（シャワー洗浄）、ビデ洗浄、温風乾燥等の作動をストップさせるストップスイッチ等が設置されている。また、リモコン２０には、洗浄ノズルの前進限位置を調節するスイッチ、洗浄の広がりを調整するためのワイド洗浄入／切スイッチのほか、洋風便器１の便鉢に多量の水を流す大洗浄用スイッチと、便鉢に少量の水を流す小洗浄用スイッチとが設けられている。
【００３３】
さらに、リモコン２０には、便座３及び便蓋４をマニュアル操作によって開閉させるための便座開閉スイッチ及び便蓋開閉スイッチが設けられている。リモコン２０には、温水を噴出させることなくノズル１１，１２を前進させるノズル掃除スイッチが設けられている。このノズル掃除スイッチによってノズル１１又はノズル１２を前進させることにより、所望のときにシャッタ１８を開けることができる。
【００３４】
リモコン２０内には、前記各スイッチの操作信号を便座ボックス２に向けて発信する発信回路が設置されている。
【００３５】
図６の通り、便座ボックス２内には、前記駆動装置５，６、ノズル１１，１２の前後進装置１１ａ，１２ａ及び照明器１５への通電を制御するための制御ユニット３０が設けられている。便座ボックス２には、リモコン２０からの信号を受信するための信号受信部３１が設けられている。センサ７〜１０及び信号受信部３１からの信号は制御ユニット３０に入力される。
【００３６】
［便器が着座使用されるときの照明器１５の点灯制御］
便器が着座使用されるときの照明器の点灯制御について図７を参照して説明する。
【００３７】
トイレ使用者がトイレルームに入室すると、まず当該人体が焦電センサ８及び光電センサ７によって検知され、これに伴って便蓋４のみが開放する。便座３は倒伏したままである。
【００３８】
なお、便蓋４が開くと、光電センサ７及び焦電センサ８は便蓋４の背後に隠れることになるので、この便蓋４の開放以降は第２の光電センサ９によってトイレルーム内の人体を検知する。
【００３９】
この第２の光電センサ９は、便器１に近接してきた人体を検知するものである。第２の光電センサ９が人体を検知すると照明器１５が点灯する。なお、この照明器１５の点灯に際しては、ノズル１１を前進させてシャッタ１８を開ける。その後、人が便座３に着座すると着座センサ１０によって着座が検知され、照明器１５が消灯する。また、ノズル１１を後退させてシャッタ１８を閉とする。その後、人が便座３から立ち上がり（脱座）、着座センサ１０が人体不検知となると、照明器１５が点灯すると共にノズル１１が前進し、シャッタ１８が開く。その後、人が便器１から離反すると、第２の光電センサ９が人体不検知となる。これに対応して、照明器１５が消灯すると共に、ノズル１１が後退してシャッタ１８が閉まる。また、便蓋４が閉まる。
【００４０】
なお、脱座（人が便座３から立ち上がる）後、所定時間が経過した時点や、第２の光電センサ９が人体不検知となったとき又はそれから所要時間が経過したときに照明器１５を消灯し、シャッタ１８を閉め、便蓋４を閉めてもよい。
【００４１】
なお、脱座後、光電センサ９が人体不検知となる前に再び着座したときには、その時点で照明器１５を消灯し、シャッタ１８を閉める。
【００４２】
［男子小使用時の照明器１５の点灯制御］
男子小使用時の照明器１５の点灯制御について図８を参照して説明する。
【００４３】
図７の場合と同様に、トイレ使用者がトイレルームに入室すると、まず当該人体が焦電センサ８及び光電センサ７によって検知され、これに伴って便蓋４のみが開放する。便座３は倒伏したままである。光電センサ９が人体を検知すると、ノズル１１を前進させてシャッタ１８を開けると共に、照明器１５を点灯させる。
【００４４】
便器１に近づいた人が便器１を男子小用に使用するために、便座３を起立させるべく、リモコン２０の便座開スイッチを押すと、リモコン２０からの便座開信号が送信される。この便座開信号が信号受信部３１で受信されると、便座３が起立するとともに照明器１５が消灯し、ノズル１１が後退してシャッタ１８が閉まる。その後、人が便器１から離反すると、第２の光電センサ９が人体不検知となる。これに対応して、照明器１５が消灯すると共に、ノズル１１が後退してシャッタ１８が閉まる。また、第２の光電センサ９が人体不検知となったとき又はそれから所要時間が経過したときに便座３及び便蓋４を閉める。
【００４５】
［男子小使用の後、着座使用する場合の照明器１５の点灯制御］
男子小使用の後、着座使用する場合の照明器１５の点灯制御について図９を参照して説明する。
【００４６】
図８の場合と同様に、トイレ使用者がトイレルームに入室すると、まず当該人体が焦電センサ８及び光電センサ７によって検知され、これに伴って便蓋４のみが開放する。便座３は倒伏したままである。光電センサ９が人体を検知すると、ノズル１１を前進させてシャッタ１８を開けると共に、照明器１５を点灯させる。
【００４７】
便器１に近づいた人が便器１を男子小用に使用するために、便座３を起立させるべく、リモコン２０の便座開スイッチを押すと、リモコン２０からの便座開信号が送信される。この便座開信号が信号受信部３１で受信されると、便座３が起立するとともに照明器１５が消灯し、ノズル１１が後退してシャッタ１８が閉まる。
【００４８】
その後、便器１を着座使用するために、リモコン２０の便座閉スイッチを押すと、リモコン２０は便座閉信号を発信し、この便座閉信号が信号受信部３１で受信されると、便座３が倒伏回動し、閉となる。これと共に、照明器１５が点灯する。その後の照明器１５及びシャッタ１８並びに便座３及び便蓋４の動作は図７の場合と同一である。
【００４９】
上記実施の形態では、照明器１５を点灯させるときにシャッタ１８を開けるようにしているが、シャッタ１８のうちシャッタ閉状態時に少なくとも照明器１５に重なる部分を透光部とし、照明器１５の点灯時にシャッタ１８を閉めたままとしてもよい。照明器１５からの光は、この透光部を透過して便鉢に照射される。
【００５０】
シャッタ１８は、ノズル１１，１２の作動時のほか、脱臭作動時又はお尻乾燥時（温風ファン作動時）に開とされる。なお、清掃時にノズル１１を前進させてシャッタ１８を開放させ、ノズル１１と共に、シャッタ１８の裏側やシャッタ１８で覆われる領域を入念に清掃できる。
【００５１】
上記実施の形態では、ノズル１１を前進させてシャッタ１８を開けるようにしてもよいが、ノズル１２を前進させてシャッタ１８を開けるようにしてもよい。
【００５２】
本発明では、図１０のように、便座ボックス２Ａの前部下面の中央付近２ａに透光部４０を設け、照明器４１をこの透光部４０に臨ませて便座ボックス２Ａ内に設置してもよい。この場合、シャッタがなくても、この照明器４１には汚れが付着しない。照明器４１からの光は透光部４０を通って便鉢に照射される。
【００５３】
なお、透光部は、無色透明であってもよく、有色透明であってもよく、半透明であってもよい。また、便座ボックス内が見えないように透光部にフィルムを貼ってもよい。
【００５４】
上記各実施の形態では、ケースとして便座ボックスが示されているが、ロータンクカバーなどであってもよい。
【符号の説明】
【００５５】
１  洋風便器
１ａ  便鉢
２  便座ボックス
３  便座
４  便蓋
７  第１の光電センサ
８  焦電センサ
９  第２の光電センサ
１０  着座センサ
１１，１２  ノズル
１３，１４  開口
１５，４１  照明器
１８  シャッタ
１９  ヒンジアーム
２０  リモコン
４０  透光部
【図１】
2013060766.tif 000003
【図２】
2013060766.tif 000004
【図３】
2013060766.tif 000005
【図４】
2013060766.tif 000006
【図５】
2013060766.tif 000007
【図６】
2013060766.tif 000008
【図７】
2013060766.tif 000009
【図８】
2013060766.tif 000010
【図９】
2013060766.tif 000011
【図１０】
2013060766.tif 000012